(57)【要約】      （修正有）【課題】部品数を極力減らすと共に、エンドレステープ状のタオルを何回か折りたたむことにより、比較的に長いタオルを使用可能とした回転式タオルハンガーを提供する。【解決手段】前方に延びる前垂れ部分２と縦方向に延びる後背部分３を有するフック状の回転式タオルハンガー１、及び、エンドレステープ状のタオル６からなる。タオル６は、後背部分３の最下端部の外側を通り、前垂れ部分２の上側を通り、前方使用者側に垂れ下がったあと、上方に引き上げられて、取付対象棒と回転式タオルハンガー１の間を通り、再び後背部分３の最下端部の外側に向かう。【選択図】図３
2011217855.tif 000002
【特許請求の範囲】
【請求項１】
前方に延びる前垂れ部分（２）と縦方向に延びる後背部分（３）を有するフック状の回転式タオルハンガー（１）、及び、エンドレステープ状のタオル（６）からなり、
前記タオル（６）が前記後背部分（３）の最下端部（３７）の外側を通り、前記前垂れ部分（２）の上側を通り、前方使用者側に垂れ下がったあと、上方に引き上げられて、取付対象棒（７１）と前記回転式タオルハンガー（１）の間を通り、再び前記後背部分（３）の最下端部（３７）の外側に向かうことを特徴とする、
回転式タオルハンガーとタオルの組み合わせ。
【請求項２】
前記後背部分（３）の最下端部（３７）に回転棒（４）が取り付けられている請求項１記載の回転式タオルハンガーとタオルの組み合わせ。
【請求項３】
前記前垂れ部分（２）及び／又は前記後背部分（３）に切り欠き（２１，３１，３２）が設けられている請求項１又は２記載の回転式タオルハンガーとタオルの組み合わせ。
【請求項４】
前記後背部分（３）と前記回転棒（４）の間に消音部材（５）が取り付けられている請求項１〜３のいずれかに記載の回転式タオルハンガーとタオルの組み合わせ。
【発明の詳細な説明】
【技術分野】
【０００１】
本願発明は、回転式タオルハンガーに関する。特に、エンドレステープ状のタオルをハンガー上で回転可能に取付け、濡れていない面を引き出して使用するタイプのタオルハンガーとタオルの組み合わせに関する。
【背景技術】
【０００２】
上記タイプのタオルハンガーは、たとえば、実開昭５８−１２３７９３などにより公知である。この考案は、ハンガーにエンドレステープ状のタオルをかけて使用し、タオルを交換するときにはハンガー棒が留め具から取り外せるように構成されている。
【発明の概要】
【発明が解決しようとする課題】
【０００３】
上記考案では、エンドレステープ状のタオルは、ハンガー棒に１個所で吊されているだけであるから、床までの距離の制約を受け、あまり長いものは使用できない。そのため、タオルがすぐに全面的に濡れてしまい、濡れていない面を使用することができなくなってしまう欠点がある。また、ハンガー棒と止め具を着脱自在にするためいくつかの部品が必要となる。
【０００４】
本発明は、部品数を極力減らすと共に、エンドレステープ状のタオルを何回か折りたたむことにより、比較的に長いタオルを使用可能とした回転式タオルハンガーを提供することを目的とする。
【課題を解決するための手段】
【０００５】
本発明請求項１は、前方に延びる前垂れ部分２と縦方向に延びる後背部分３を有するフック状の回転式タオルハンガー１、及び、エンドレステープ状のタオル６からなり、前記タオル６が前記後背部分３の最下端部３７の外側を通り、前記前垂れ部分２の上側を通り、前方使用者側に垂れ下がったあと、上方に引き上げられて、取付対象棒７１と前記回転式タオルハンガー１の間を通り、再び前記後背部分３の最下端部３７の外側に向かうことを特徴とする、回転式タオルハンガーとタオルの組み合わせである。
請求項２は、前記後背部分３の最下端部３７に回転棒４が取り付けられている請求項１記載の回転式タオルハンガーとタオルの組み合わせである。
請求項３は、前記前垂れ部分２及び／又は前記後背部分３に切り欠きが設けられている請求項１又は２記載の回転式タオルハンガーとタオルの組み合わせである。
請求項４は、前記後背部分３と前記回転棒４の間に消音部材５が取り付けられている請求項１〜３のいずれかに記載の回転式タオルハンガーとタオルの組み合わせである。
【発明の効果】
【０００６】
本発明請求項１の発明によれば、タオルは複数枚に折りたたまれるので、比較的に長いタオルが使用可能となる。また、タオルを交換可能とするのに、特別な部品は必要ない。
【０００７】
請求項２の発明によれば、タオルの負荷がかかる部分に回転棒を使用することにより、タオルの引き出しがスムーズなものとなる。
【０００８】
請求項３の発明によれば、この切り欠きを設けることにより、通気性がよくなり、タオルの乾燥が早くなるとともに、重量の軽減や原材料の節約にも貢献する。
【０００９】
請求項４の発明によれば、タオルの引き出し時や使用時に後背部分が壁に当たってカツカツという音が出るのを防止することができる。
【図面の簡単な説明】
【００１０】
【図１】壁に取り付けた物掛け用ハンガーに、本発明実施例の回転式タオルハンガーを取り付けている状態の斜視図である。
【図２】図１において、タオルを透視した状態の斜視図である。
【図３】図１の回転式タオルハンガーの分解斜視図である。
【図４】図１のＩＶ−ＩＶ断面図である。
【図５】図１のＶ−Ｖ断面図である。
【図６】図１のＶＩ−ＶＩ断面図である。
【図７】本発明実施例の回転式タオルハンガーの（ａ）平面図、（ｂ）正面図、（ｃ）底面図、（ｄ）背面図、（ｅ）側面図である。
【実施例１】
【００１１】
図１、図２に示すように、本実施例の回転式タオルハンガー１は、壁（図示せず）に取り付けられた取付対象棒７１（物掛け用ハンガー７のハンガー棒７１や鉄棒）に対して、たんに引っかけることにより着脱自在に取り付けられる。
【００１２】
図２、図３に示すように、この回転式タオルハンガー１は、側面から見ると、高さ約２５ｃｍで、ひらがなの「し」の字を上下逆転させたようなフックである。取付対象への引っかけは、フックののど部を取付対象棒７１に乗せることにより行われる。側面の中央部を走るように浅い溝１１が設けられているが、これは模様となると共に、プラスチック成型時の変形防止の役割を果たしている。
【００１３】
正面から見ると、この回転式タオルハンガー１は、横幅約１７ｃｍで、前方に延びる前垂れ部分２と縦方向に延びる後背部分３からなる。前垂れ部分２には大きな長方形の切り欠き２１が設けられ、後背部分３にも大きな長方形の切り欠き３１，３２が２個所設けられている。２つの切り欠きの間に位置する横棒３３が補強部材となっている。これらの切り欠き２１，３１，３２は、通気性をよくすることにより、タオル６の乾燥を促進するとともに、重量の軽減や原材料の節約にも貢献している。前垂れ部分２及び後背部分３とも、左右両端２２，３４は隆起しており、タオル６が横滑りして脱落しないように側壁の役割を果たしている。前垂れ部分２と後背部分３は、プラスチックにより一体成形されている。
【００１４】
後背部分３の最下部３７には、回転棒４が取り付けられている。回転棒４は、中空筒状であり、図５に示すように、後背部分３の底部に形成された一対の円柱突起３５に差し込むことにより、回転自在に取り付けられる。タオル６が空転しないように表面には浅い筋状の隆起４１が形成されている。
【００１５】
タオル６の引き出し時や使用時に後背部分３が壁に当たってカツカツという音が出ることがある。このような音は特にトイレの中では非常に嫌われるので、それを避けるために、図３、図５に示すように、消音部材５を後背部分３の底部と回転棒４の間にはめることが好ましい。消音部材５は、軟質プラスチック又はゴムで形成された扇状部材であり、扇部分５１が（タオル６を介して）壁に当たる可能性がある。消音部材５を後背部分３の底部に固定するには、後背部分側の板状突起３６と消音部材側の四角孔５２を嵌め合わせればよい。
【００１６】
この回転式タオルハンガー１に掛けるタオル６は、エンドレステープ状のもので、幅約１５ｃｍ、長さは切り離せば１２０ｃｍのパイル布地である。このエンドレスタオル６を図６に示すように回転式タオルハンガー１に取り付ける。すなわち、後背部分３の回転棒４の外側を通り、前垂れ部分２の上側を通り、前方使用者側に垂れ下がったあと、上方に引き上げられて、物掛け用ハンガー棒７１とフックののど部の間を通り、再び回転棒４の外側に向かう。回転式タオルハンガー１は、物掛け用ハンガー７から容易に取り外せるので、タオル６は、回転式タオルハンガー１の側方から簡単に交換ができる。
【００１７】
使用時には、使用者は前房に垂れ下がったタオルで手や顔を拭き、濡れた部分を下に押し下げる。すると、タオルの未使用部分が前垂れ部分の上側から供給される。
【００１８】
前垂れ部分２は前方へ張り出しているので、使用者の面前のタオル部分は残りのタオル部分から離れ、あたかも１枚の状態のタオルのような感覚で使用することができる。
【先行技術文献】
【特許文献】
【００１９】
【特許文献１】実開昭５８−１２３７９３
【符号の説明】
【００２０】
１     回転式タオルハンガー
２     前垂れ部分
２１  切り欠き
３     後背部分
３１，３２  切り欠き
３３   横棒
３５   円柱突起
３６   板状突起
４     回転棒
５     消音部材
５１   扇部分
５２   四角孔
６     エンドレスタオル
【図１】
2011217855.tif 000003
【図２】
2011217855.tif 000004
【図３】
2011217855.tif 000005
【図４】
2011217855.tif 000006
【図５】
2011217855.tif 000007
【図６】
2011217855.tif 000008
【図７】
2011217855.tif 000009